(57)【特許請求の範囲】
【請求項１】
遊技球が流下可能な遊技領域が前側に設けられた遊技盤と、前記遊技領域を流下する遊技球が入賞可能な入賞部と、前記入賞部に入賞して遊技盤の後側に案内された遊技球を排出案内する排出通路とを備えた遊技機において、
前方に開口する箱状本体と、該箱状本体における下側の開口縁から下方に延出する延出部と、該延出部の延出端に設けられた当接縁部とを備えて前記遊技盤の後側に配設され、前記排出通路が収容されると共に前記当接縁部が前記遊技盤の後面に当接する設置部材と、
前記設置部材に設けられて前記排出通路における下向きに開口する出口の下方前寄りに位置し、該出口から通出する遊技球が接触可能な減勢部とを備え、
前記減勢部における排出通路の出口に向く面は、前側から後側へ向けて下方傾斜するよう構成され、
前記排出通路は、該排出通路の前記出口を箱状本体外に開口するように前記設置部材に収容され、
前記延出部における前記当接縁部より上側に前記減勢部が設けられ、
前記箱状本体における前記減勢部に対応する位置に、上下に貫通する嵌合孔が形成されて、該嵌合孔に前記排出通路の下端部が嵌合するよう構成された
ことを特徴とする遊技機。
【発明の詳細な説明】
【技術分野】
【０００１】
本発明は、遊技盤に設けた入賞部に入賞した遊技球を遊技盤の後方へ排出するよう構成された遊技機に関するものである。
【背景技術】
【０００２】
代表的な遊技機であるパチンコ機は、遊技盤の盤面に画成した遊技領域に打ち出されたパチンコ球が遊技領域内に植設された遊技釘等との接触により跳ね返りながら次第に自重により流下し、該遊技領域を流下する過程で始動入賞装置に入賞することにより、所定数の賞球が払い出されると共に、図柄表示装置での図柄変動演出に伴うリーチ演出等の各種の遊技演出がなされ、該図柄表示装置に図柄が所定の組み合わせで停止することにより所謂大当りが発生し、特別入賞装置が開放して多数の賞球を獲得し得るよう構成される。また、前記遊技盤の遊技領域内には、パチンコ球が入賞可能な普通入賞口(入賞口)を備えた普通入賞部材(入賞部)が設けられて、該普通入賞口にパチンコ球が入賞することで所定数の賞球が払い出されると共に、該パチンコ球は遊技盤の後側に設けられた排出通路を介して機外に排出されるよう構成されている(例えば、特許文献１参照)。
【先行技術文献】
【特許文献】
【０００３】
【特許文献１】特開２０１４−８３２２６号公報
【発明の概要】
【発明が解決しようとする課題】
【０００４】
前記特許文献１に開示のパチンコ機では、排出通路内をパチンコ球が真っ直ぐに落下するよう構成されている。この排出通路を落下したパチンコ球は、前記中枠の後側に設けられた集合樋に排出されるが、排出通路内を真っ直ぐに落下するパチンコ球は勢いがあるために集合樋内でパチンコ球が跳ね上がり、後続するパチンコ球に当って円滑な落下を阻害する恐れがある。
【０００５】
すなわち本発明は、従来の技術に係る遊技機に内在する前記課題に鑑み、これを好適に解決するべく提案されたものであって、遊技球の円滑な排出を図り得る遊技機を提供することを目的とする。
【課題を解決するための手段】
【０００６】
前記課題を解決し、所期の目的を達成するため、本願の請求項１に係る発明は、
遊技球が流下可能な遊技領域(21)が前側に設けられた遊技盤(20)と、前記遊技領域(21)を流下する遊技球が入賞可能な入賞部(52,54,70,71)と、前記入賞部(52,54,70,71)に入賞して遊技盤(20)の後側に案内された遊技球を排出案内する排出通路(77,78,91,93)とを備えた遊技機において、
前方に開口する箱状本体(62)と、該箱状本体(62)における下側の開口縁から下方に延出する延出部(63a)と、該延出部(63a)の延出端に設けられた当接縁部(63b)とを備えて前記遊技盤(20)の後側に配設され、前記排出通路(77,78,91,93)が収容されると共に前記当接縁部(63b)が前記遊技盤(20)の後面に当接する設置部材(22)と、
前記設置部材(22)に設けられて前記排出通路(77,78,91,93)における下向きに開口する出口(77a,78c,91a,93a)の下方前寄りに位置し、該出口(77a,78c,91a,93a)から通出する遊技球が接触可能な減勢部(101,103)とを備え、
前記減勢部(101,103)における排出通路(77,78,91,93)の出口(77a,78c,91a,93a)に向く面(101a,103a)は、前側から後側へ向けて下方傾斜するよう構成され、
前記排出通路(77,78,91,93)は、該排出通路(77,78,91,93)の前記出口(77a,78c,91a,93a)を箱状本体外に開口するように前記設置部材(22)に収容され、
前記延出部(63a)における前記当接縁部(63b)より上側に前記減勢部(101,103)が設けられ、
前記箱状本体(62)における前記減勢部(101,103)に対応する位置に、上下に貫通する嵌合孔(100)が形成されて、該嵌合孔(100)に前記排出通路(77,78)の下端部が嵌合するよう構成されたことを要旨とする。
【０００７】
請求項１の発明によれば、排出通路から通出した遊技球が減勢部に接触することで減勢させ得るので、遊技球の円滑な排出を図り得る。
また、減勢部の剛性をより高めることができる。更に、排出通路の出口と減勢部との位置関係を適正に維持することができ、減勢部による遊技球の確実な減勢を図り得る。
【発明の効果】
【００１０】
本発明に係る遊技機によれば、入賞部に入賞した遊技球の円滑な排出を図り得る。
【図面の簡単な説明】
【００１１】
【図１】実施例に係るパチンコ機を示す正面図である。
【図２】実施例に係る外枠に組み付けられた中枠を前側から見た斜視図である。
【図３】実施例に係る遊技盤を示す正面図である。
【図４】実施例に係る遊技盤と枠状装飾体および発光装飾装置を分解して前側から見た斜視図である。
【図５】実施例に係る設置部材を前側から見た斜視図である。
【図６】実施例に係る設置部材の下部側を示す要部拡大斜視図である。
【図７】実施例に係る設置部材の下部側を、発光装飾装置を配設した状態で示す要部正面図である。
【図８】実施例に係る設置部材を各排出通路の位置で縦断した要部正面図である。
【図９】実施例に係る第１発光装飾装置を分解して前側から見た要部斜視図である。
【図１０】実施例に係る第１発光装飾装置の基材から第１普通入賞部材を分解して後側から見た要部斜視図である。
【図１１】実施例に係る遊技盤に設置部材を配設した状態で、第２発光装飾装置の配設部位で横断した要部平面図である。
【図１２】実施例に係る遊技盤に設置部材を配設した状態で、第１普通入賞部材の配設部位で横断した要部平面図である。
【図１３】実施例に係る中枠に遊技盤を配設した状態で、第１普通入賞部材の配設部位で縦断した要部側面図である。
【図１４】実施例に係る遊技盤に設置部材を配設した状態で、第２普通入賞部材の配設部位で縦断した要部側面図である。
【図１５】実施例に係る中枠に遊技盤を配設した状態で、第２普通球排出部に対応する部位で縦断した要部側面図である。
【図１６】実施例に係る中枠に遊技盤を配設した状態で、始動入賞装置の配設部位で縦断した要部側面図である。
【図１７】別実施例に係る遊技盤、第１発光装飾装置および第１普通入賞部材の関係を、第１普通入賞部材の配設部位で横断して示す要部平面図である。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１３】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図３参照)を着脱可能に保持する本体枠としての中枠１２が開閉および着脱可能に組み付けられると共に、遊技盤２０の後側に、図柄を変動表示可能な表示装置１７が着脱し得るよう配設されている。また、中枠１２の前面側には、前記遊技盤２０の遊技領域２１と対応する位置に前後に開口する窓口１３ａが形成された装飾枠としての前枠１３が開閉可能に組み付けられている。この前枠１３は、ガラス板や透明な合成樹脂で形成された透視保護板１３ｂが窓口１３ａを覆うように配設されており、遊技盤２０を前側から目視可能な状態で保護している。また、前枠１３の下方には、パチンコ球を貯留する下球受け皿１５が開閉可能に組み付けられる。なお、実施例では、前枠１３における窓口１３ａの下部位置に、パチンコ球を貯留する上球受け皿１４が一体的に組み付けられており、前枠１３の開閉に合わせて上球受け皿１４も一体的に開閉するよう構成される。
【００１４】
前記表示装置１７は、後述する始動入賞口４６ａ,４６ｂへのパチンコ球の入賞を契機として演出用の図柄(飾図という場合もある)を表示部１７ａに変動表示させる図柄変動演出を行うよう構成される。また表示装置１７では、図柄変動に関連して実行される各種の表示演出(リーチ演出、予告演出、報知演出等)を表示部１７ａに表示し得るようになっている。実施例では、前記表示装置１７として、各種図柄や表示演出に係る画像を表示可能な液晶パネルを収容ケースに収容した液晶表示装置が採用されるが、これに限られるものではなく、有機ＥＬ(Electro-Luminescence)を用いた表示装置、あるいはドラム式の表示装置やドットマトリックス式の表示装置等の各種図柄を停止および変動表示可能な従来公知の各種の表示装置を用いることができる。
【００１５】
前記前枠１３には、図１に示す如く、前記下球受け皿１５の右側方に、前記中枠１２に配設された打球発射装置Ｍ(図２参照)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置Ｍが作動されて、前記上球受け皿１４に貯留されたパチンコ球が前記遊技盤２０に向けて発射されるようになっている。ここで、前記操作レバー１６ａの回動量に応じて前記打球発射装置Ｍによるパチンコ球の打球力が強弱変化するよう構成されており、遊技者が操作レバー１６ａを操作して回動量を調節することで、前記遊技盤２０に形成された第１球流下経路２１ａ(後述)をパチンコ球が流下する所謂「左打ち」と、該遊技盤２０に形成された第２球流下経路２１ｂ(後述)をパチンコ球が流下する所謂「右打ち(ゴム打ち)」とを打ち分け得るようになっている。また、前枠１３の前部には、ＬＥＤ等の発光体による発光演出が可能なランプ装置１８や、音声や効果音を出力可能なスピーカ１９が配設されており、前記表示装置１７での図柄変動演出に合わせてランプ装置１８で発光演出を行ったりスピーカ１９で音声演出を行い得るよう構成されている。
【００１６】
(中枠１２について)
図２に示すように、前記中枠１２は、上縁をなす上枠部１２ａと、下縁をなす下枠部１２ｂと、左縁をなす左側枠部１２ｃと、右縁をなす右側枠部１２ｄとから構成されて、これら上下左右の枠部１２ａ,１２ｂ,１２ｃ,１２ｄを組み付けた際に、全体が外枠１１の開口領域に整合する大きさに形成される。そして、外枠１１に対して中枠１２の左側枠部１２ｃ側が、ヒンジ機構を介して回動自在に支持されて、右側枠部１２ｄ側が施錠装置により施錠されるようになっている。また、中枠１２には、上下左右の枠部１２ａ,１２ｂ,１２ｃ,１２ｄを組み付けることで前後に開口する遊技盤保持部３０が画成され、該遊技盤保持部３０に前記遊技盤２０が着脱自在にセット保持される。
【００１７】
前記遊技盤保持部３０を画成する左側枠部１２ｃの内面には、前端から後側に所定長さ離間した位置に、内側に突出する段部(図示せず)が上下方向の全長に亘って延在するよう形成される。また、遊技盤保持部３０を画成する上枠部１２ａの下面および下枠部１２ｂの上面には、各枠部１２ａ,１２ｂの左端部における左側枠部１２ｃの前記段部の前面から前側に遊技盤２０および後述する設置部材２２の固定部６３を合わせた厚みと略同寸法だけ離間する位置に、内側に突出する前固定突部(図示せず)が夫々が突設されている。更に、上枠部１２ａの下面における右端部に、下側に向けて後固定突部３３が突設されると共に、下枠部１２ｂの上面における右端部に、上側に向けて後固定突部３３が突設されており(図２に下枠部１２ｂに設けられた下側の後固定突部３３のみ図示)、両後固定突部３３の前面は、前記左側枠部１２ｃに設けた前記段部の前面と揃う位置に臨むよう設定される。また、上枠部１２ａおよび下枠部１２ｂには、対応する後固定突部３３との間で遊技盤２０の右側上下端部を挟持する固定部材３４が夫々設けられている。すなわち、中枠１２に対して遊技盤２０は、遊技盤保持部３０に対して前側から斜めに遊技盤２０を臨ませて、該遊技盤２０の左側端部を前記段部と前固定突部との間に差し込んだ状態で、遊技盤２０の右側端部を押し込んで該遊技盤２０の左側端部を中心に回動させて遊技盤２０の全体を遊技盤保持部３０に臨ませ、該遊技盤２０の右端部の後面を後固定突部３３,３３に当接させる。そして、前記固定部材３４,３４を遊技盤２０の右側上下端部の前面に当接して後固定突部３３,３３との間で挟持することで、遊技盤２０は中枠１２の遊技盤保持部３０内に組み付けられる。中枠１２に組み付けられる遊技盤２０は、下端縁が前記下枠部１２ｂの上端縁で支持されると共に、４隅部が段部と前固定突部および後固定突部３３と固定部材３４とで前後から挟持された状態で位置決め固定される。
【００１８】
なお、前記遊技盤２０の左側端部を段部と前固定突部とで支持する構成に代えて、前記中枠１２における左側枠部１２ｃの内側の上下に離間する位置に、前記遊技盤２０の左側端部を着脱可能に保持する回転保持具を回転自在に配設し、遊技盤２０の左側端部を回転保持具で保持した状態で、遊技盤２０を左側端部(回転保持具)を中心に回動させて前記遊技盤保持部３０に臨ませる構成を採用し得る。この回転保持具を用いる構成では、該回転保持具によって遊技盤２０の左側端部が保持された状態で、該遊技盤２０の右側端部が後固定突部３３と固定部材３４とで前後から挟持された状態で位置決め固定される。
【００１９】
前記中枠１２の下枠部１２ｂの上面には、図２に示す如く、上方に延出する規制壁部３５が左右方向に延在するよう立設される。規制壁部３５は、その前面を前記段部および後固定突部３３の前面と略一致する位置に設けられ、前記遊技盤保持部３０にセットされる遊技盤２０は、該規制壁部３５の前側に位置する下枠部１２ｂの上面に載置されると共に、遊技盤２０の後側に配設された後述する設置部材２２における固定部６３の後面が規制壁部３５の前面に近接または当接して位置規制され得るようになっている(図１３,図１５参照)。また、下枠部１２ｂの上面には、規制壁部３５から後方に離間して後画壁部３６が左右方向に延在するよう設けられ、該後画壁部３６と規制壁部３５との間に、前記遊技盤２０に設けられた入賞部４６,５２,５４,７０,７１に入賞して遊技盤２０の後側に案内されたパチンコ球を受容する集合樋３７が形成されている。この集合樋３７は、下枠部１２ｂ、規制壁部３５および後画壁部３６によって左右方向に所定長さで上方に開口するように形成される。また、集合樋３７の底面を構成する下枠部１２ｂに上下方向に開口する排出口が形成されると共に、集合樋３７の底面は排出口に向けて下方傾斜するよう構成されている。すなわち、後述する設置部材２２に設けられて左右方向に離間する複数の球排出部９５,９６,９７,９８(図６参照)から落下するパチンコ球を１つの集合樋３７で受容して排出口から機外に排出するよう構成される。
【００２０】
(遊技盤２０について)
実施例の前記遊技盤２０は、パチンコ球が流下可能な遊技領域２１が前面側に形成された板状部材(遊技領域形成部材)から構成される。また、遊技盤２０の後側に、該遊技盤２０との間に収容空間Ｓを画成する設置部材(収容空間画成部材)２２が配設されており、収容空間Ｓには、発光により演出を行う発光装飾装置７２,７３や、可動体の動作により演出を行う可動演出装置等の各種演出装置が設置されている。前記遊技盤２０は、合成樹脂材やベニヤ材等から所定板厚の略矩形状に形成されており、図３に示す如く、前面(盤面)に配設された略円形状の案内レール２３によりパチンコ球が流下可能な遊技領域２１が画成されている。そして、前記打球発射装置Ｍから発射されたパチンコ球が当該遊技領域２１内に打ち出されることで遊技が行われるようになっている。実施例の遊技盤２０は、アクリル樹脂から形成された透明板であって、前記収容空間Ｓに配置した各種演出装置を遊技盤２０の前面側から透視し得るようになっている。なお、前記表示装置１７は、設置部材２２の後側に取り付けられて、後述するように設置部材２２に設けた開口部(可視部)２２ａおよび枠状装飾体４０(後述)の開口部４０ａを介して遊技盤２０の前側から視認可能に臨むよう構成される。実施例のパチンコ機１０では、前記中枠１２に対して着脱される遊技盤２０は、後側に設置部材２２が配設された状態で取り扱われる。
【００２１】
前記遊技盤２０には、図４に示す如く、前後に貫通する装着口２７,２８,２９が前記遊技領域２１内の適宜位置に開設されて、各装着口２７,２８,２９に対して各種の遊技盤設置部品が配設されている。なお、実施例の遊技盤２０には、遊技盤設置部品として枠状装飾体４０、始動入賞装置４６、特別入賞装置５２,５４、複数の普通入賞部材７０,７１等を設置する装着口２７,２８,２９が形成されている。そして、前記遊技盤２０において遊技領域２１の最下部位置に、該遊技領域２１の最下部位置まで流下したパチンコ球を遊技盤２０の外部に排出するアウト口２４が開設されている。すなわち、前記打球発射装置Ｍから発射されて遊技領域２１を流下するパチンコ球が前記遊技盤設置部品に設けられた入賞口(始動入賞口４６ａ,４６ｂ、特別入賞口５２ａ,５４ａ、複数の普通入賞口７０ａ,７１ａ等)に入賞することにより、入賞した入賞口に応じた賞球の払い出しや図柄変動演出の実行等の所定の遊技が行われ、遊技領域２１の最下部まで流下したパチンコ球がアウト口２４を介して機外に排出されるよう構成される。なお、前記装着口の形成位置や形成数は、遊技盤２０に対して取り付けられる遊技盤設置部品の配設位置や配設数等に応じて適宜に決定される。
【００２２】
また、前記遊技盤２０には、前記遊技領域２１内に多数の遊技釘２５が設けられると共に、後述する枠状装飾体４０の左側方に、遊技領域２１を流下するパチンコ球の接触に伴って回転する回転案内部材２６が回転自在に支持されており、遊技釘２５や回転案内部材２６との接触によりパチンコ球の流下方向が不規則に変化するよう構成されている。前記回転案内部材２６は、所謂「風車」とも称される部材であって、該回転案内部材２６の回転に伴ってパチンコ球を弾くように左右方向へ放出する部材である。
【００２３】
(枠状装飾体４０について)
実施例の前記遊技盤２０には、図４に示すように、前記案内レール２３で囲まれた遊技領域２１の中央から右側部に亘る大部分が開口する第１装着口(第２貫通孔)２７に、前後に開口する枠状に形成された枠状装飾体４０が取り付けられ、該枠状装飾体４０の開口部４０ａの後方に、前記設置部材２２の開口部２２ａが位置するようになっている。すなわち、前記枠状装飾体４０の開口部４０ａの後方に前記表示装置１７の表示部１７ａが位置するよう構成されている。
【００２４】
前記枠状装飾体４０は、図３,図４に示す如く、前記遊技盤２０に開設された枠状装飾体４０が配設される第１装着口２７の内側に沿って延在する環状に形成された枠状基部４１と、該枠状基部４１に設けられて前記遊技盤２０の前面より前方に突出し、前記遊技領域２１と表示装置１７の表示部１７ａを区切る庇状部４２と、該庇状部４２の後縁から外方に延出する薄板状の台板部４３とを備える。そして、前記枠状基部４１を第１装着口２７に挿入すると共に台板部４３を遊技盤２０の前面に当接した状態で、該台板部４３をネジ等の固定手段で遊技盤２０に固定することで、枠状装飾体４０が遊技盤２０に取り付けられて、該枠状装飾体４０の外側、具体的には庇状部４２と案内レール２３との間にパチンコ球が流下する遊技領域２１が画成されるようになっている。すなわち、枠状装飾体４０の庇状部４２によって、遊技領域２１の内周を区画するよう構成されている。なお、枠状装飾体４０を遊技盤２０に取り付けた状態で、庇状部４２の後端縁から外方に延出する台板部４３が遊技盤２０の前面に沿って延在して、該台板部４３の前側をパチンコ球が通り得るよう構成される。また、枠状装飾体４０は、全体が透明な合成樹脂製とされており、透明な遊技盤２０の前側に台板部４３を重ねた状態で、該台板部４３および遊技盤２０を介して後側を透視可能に構成されている。
【００２５】
前記枠状装飾体４０の庇状部４２は、該枠状装飾体４０の開口部４０ａを囲繞するように連続して延在するように設けられており、前記表示装置１７における表示部１７ａの前面側を横切ってパチンコ球が流下(落下)したり、前記遊技釘２５に接触して跳ねたパチンコ球が開口部側に進入するのを規制している。また庇状部４２は、最上部位置から左右方向に下方傾斜するよう形成されて、遊技領域２１に打ち出されたパチンコ球が庇状部４２上で滞ることなく枠状装飾体４０の左側方または右側方へ誘導案内されるよう形成されている。すなわち、枠状装飾体４０の外側に画成される遊技領域２１は、図３に示す如く、該枠状装飾体４０の左側方をパチンコ球が流下する第１球流下経路２１ａおよび枠状装飾体４０の右側方をパチンコ球が流下する第２球流下経路２１ｂに分かれており、前記打球発射装置Ｍにより遊技領域２１内に発射されたパチンコ球は、到達位置に応じて第１球流下経路２１ａまたは第２球流下経路２１ｂの何れかを流下するよう構成される。
【００２６】
前記枠状装飾体４０には、図２に示す如く、パチンコ機１０のモチーフとなる意匠が施された複数の装飾部品４４,４５や前記特別入賞装置５２,５４が、前記庇状部４２の内周縁部に設けられている。そして、本実施例では、装飾部品４４,４５、特別入賞装置５２,５４および庇状部４２によって、前記表示装置１７の表示部１７ａを前側に臨ませる開口部４０ａが画成される。
【００２７】
実施例の枠状装飾体４０では、前記装飾部品４４として、遊技盤２０の高さ寸法の１／２以上の大型の装飾部品４４が、前記庇状部４２における右側部分の内周縁部に沿って配設されている。この大型の装飾部品４４について、他の装飾部品４５と区別するために前側装飾部品４４と指称する。前側装飾部品４４は、光透過性の合成樹脂材料で形成されたものであって、前記設置部材２２に配設された後述する第２発光装飾装置７３からの光によって明輝して開口部４０ａの周囲を光によって装飾し得るよう構成される。このように、枠状装飾体４０は、複数の装飾部品４４,４５によって遊技盤２０の前側を装飾し得るものであって、前述したように表示装置１７の表示部１７ａを前側に臨ませる開口部４０ａを画成する機能のみでなく、枠状装飾体自体が装飾部材としての機能を有している。
【００２８】
ここで、前記枠状装飾体４０が取り付けられる第１装置口２７は、図４に示す如く、前記開口部４０ａに対応する第１開口領域２７ａと、前側装飾部品４４に対応する第２開口領域２７ｂと、枠状装飾体４０の台板部４３に設けられた後述する第２普通入賞部材７１に対応する第３開口領域２７ｃとが連通した状態で形成されたものである。なお、第２普通入賞部材７１の後述する挿通部９４ａが挿通される第３開口領域２７ｃは、第２開口領域２７ｂの下端部に連通状態で設けられている。
【００２９】
(始動入賞装置４６について)
前記遊技盤２０には、前記枠状装飾体４０の下方位置(アウト口２４の直上位置)に形成された第２装着口２８に、遊技領域２１を流下するパチンコ球が入賞可能な上部始動入賞口４６ａおよび下部始動入賞口４６ｂが設けられた始動入賞装置(入賞部)４６が配設されている(図１６参照)。上部始動入賞口４６ａは、パチンコ球が入賞可能に遊技領域２１内で常に上方開口した常時開放型の入賞口とされており、遊技盤２０の遊技領域２１を流下するパチンコ球の流下態様に応じて任意のタイミングで上部始動入賞口４６ａにパチンコ球が入賞(入球)し得るよう構成されている。また、下部始動入賞口４６ｂは、該下部始動入賞口４６ｂを電磁ソレノイド等の駆動手段の駆動に伴って開放可能に始動口開閉部材４７で閉鎖する開閉型の入賞口とされており、遊技盤２０の遊技領域２１を流下するパチンコ球の流下態様および駆動手段の駆動による始動口開閉部材４７の開放動作タイミングに応じて下部始動入賞口４６ｂにパチンコ球が入賞し得るよう構成されている。
【００３０】
前記始動入賞装置４６について詳細に説明する。始動入賞装置４６は、図１６に示す如く、遊技盤２０の前面に臨む取付板４８と、該取付板４８の前側に設けられて、前記上部始動入賞口４６ａを有する上部球受部４９と、該上部球受部４９の下方に設けられて、前記下部始動入賞口４６ｂを有する下部球受部５０と、取付板４８の後側に配設された始動装置本体(装置本体)５１とを備える。また、始動装置本体５１には、前記上部始動入賞口４６ａに連通して、該上部始動入賞口４６ａに入賞したパチンコ球を遊技盤２０の後方へ案内する上部球通路(球通路)５１ａと、前記下部始動入賞口４６ｂに連通して、該下部始動入賞口４６ｂに入賞したパチンコ球を遊技盤２０の後方へ案内する下部球通路(球通路)５１ｂとが形成されている。そして、前記始動装置本体５１を遊技盤２０の前記第２装着口２８に前側から挿入し、取付板４８を遊技盤２０にネジ止めすることで、始動入賞装置４６が遊技盤２０に取り付けられる。前記始動入賞装置４６が遊技盤２０に取り付けられた状態では、前記始動装置本体５１が遊技盤２０の後面から後方へ突出している。
【００３１】
前記上部球通路５１ａは、前記上部始動入賞口４６ａから後方へ向けて直線状に延在すると共に、該上部球通路５１ａは後端部の一側方(実施例では右側方)に出口が開口し、上部始動入賞口４６ａに入賞したパチンコ球は上部球通路５１ａを遊技盤２０の後方に転動した後に出口から側方に排出される(図８参照)。また、前記下部球通路５１ｂは、前記下部始動入賞口４６ｂから後方へ向けて直線状に延在すると共に、該下部球通路５１ｂは後端部において下方に出口が開口し、下部始動入賞口４６ｂに入賞したパチンコ球は下部球通路５１ｂを遊技盤２０の後方に転動した後に出口から下方に排出される(図８参照)。そして、上下の球通路５１ａ,５１ｂの出口から排出されたパチンコ球は、前記設置部材２２に設けられた後述する排出通路１０４,１０５を介して前記集合樋３７に排出されるよう構成される。
【００３２】
(特別入賞装置５２,５４について)
実施例のパチンコ機１０では、前記枠状装飾体４０に、特別入賞口５２ａ,５４ａが設けられた２つの特別入賞装置(入賞部)５２,５４が設けられており、該枠状装飾体４０を第１装着口２７に取り付けることで、両特別入賞装置５２,５４が第１装着口２７に取り付けられるよう構成される。以後の説明では、一方の特別入賞装置５２を第１特別入賞装置と指称し、他方の特別入賞装置５４を第２特別入賞装置と指称する。なお、特別入賞装置５２,５４は、対応する特別入賞口５２ａ,５４ａに入賞したパチンコ球を検出する特別入賞検出スイッチ(図示せず)を備え、各特別入賞検出スイッチはパチンコ機１０の後側に配設された制御手段(図示せず)に配線接続されている。
【００３３】
(第１特別入賞装置５２について)
第１特別入賞装置５２は、図３に示す如く、枠状装飾体４０の左側部に設けられている。第１特別入賞装置５２の第１特別入賞口５２ａは、該第１特別入賞口５２ａを電磁ソレノイド等の駆動手段(図示せず)の駆動に伴って開放可能に第１特別口開閉部材５３で閉鎖する開閉型の入賞口とされており、遊技盤２０の遊技領域２１(第１球流下経路２１ａ)を流下するパチンコ球の流下態様および駆動手段の駆動による第１特別口開閉部材５３の開放動作タイミングに応じて第１特別入賞口５２ａにパチンコ球が入賞し得るよう構成されている。また、第１特別入賞口５２ａに入賞したパチンコ球は、後述する第１発光装飾装置７２に設けられた第１特別排出通路７７を介して枠状装飾体４０の開口部４０ａの左側を下部まで案内された後に、後述する第１特別球排出部９５から前記集合樋３７に排出されるよう構成される。
【００３４】
(第２特別入賞装置５４について)
第２特別入賞装置５４は、図３に示す如く、枠状装飾体４０の上部に設けられている。第２特別入賞装置５４の第２特別入賞口５４ａは、該第２特別入賞口５４ａを電磁ソレノイド等の駆動手段(図示せず)の駆動に伴って開放可能に第２特別口開閉部材５５で閉鎖する開閉型の入賞口とされており、遊技盤２０の遊技領域２１(第１球流下経路２１ａ)を流下するパチンコ球の流下態様および駆動手段の駆動による第２特別口開閉部材５５の開放動作タイミングに応じて第２特別入賞口５４ａにパチンコ球が入賞し得るよう構成されている。また、第２特別入賞口５４ａに入賞したパチンコ球は、後述する第２発光装飾装置７３に設けられた第２特別排出通路９１を介して遊技盤２０の上部から枠状装飾体４０における開口部４０ａの右側を迂回するように下部まで案内された後に、後述する第２特別球排出部９７から前記集合樋３７に排出されるよう構成される。
【００３５】
ここで、前記パチンコ機１０は、上下の始動入賞口４６ａ,４６ｂに入賞したパチンコ球を検出する始動入賞検出スイッチ５７(図８参照)を備え、該始動入賞検出スイッチ５７は前記制御手段に配線接続されている。そして、制御手段では、始動入賞検出スイッチ５７によるパチンコ球の検出(上部始動入賞口４６ａまたは下部始動入賞口４６ｂへのパチンコ球の入賞)に伴って各種情報が取得され、この取得した情報に基づいて、制御手段で特別入賞装置５２,５４の特別口開閉部材５３,５５を開放するか否かに係る特図当り抽選(当り判定)が行われるよう構成されている。そして、特図当り抽選の結果に基づいて前記表示装置１７において図柄変動演出が実行され、該表示装置１７での図柄変動演出の結果、該表示装置１７の表示部１７ａに所定の組み合わせ(例えば同一飾図の３つ揃い等)で飾図が確定停止表示されることで、遊技者に有利な大当り遊技(当り遊技)が付与され、大当り遊技の発生に伴って第１特別入賞装置５２の第１特別入賞口５２ａまたは第２特別入賞装置５４の第２特別入賞口５４ａを所定の開放条件で開放する大当り遊技が行われて、遊技者が賞球を獲得し得る機会が与えられるよう構成されている。
【００３６】
(普通入賞部材７０,７１について)
前記遊技盤２０には、前記枠状装飾体４０の左側をパチンコ球が流下する遊技領域２１(第１球流下経路２１ａ)に、図４に示す如く、前後に貫通する複数の第３装着口(第１貫通孔)２９が上下および左右に離間して開設されており、各第３装着口２９に、遊技領域２１を流下するパチンコ球が入賞可能な第１普通入賞口(入賞口)７０ａを備える第１普通入賞部材(第１入賞部,入賞部)７０が配設されている。第１普通入賞口７０ａは、パチンコ球が入賞可能に遊技領域２１内で常に上方開口した常時開放型の入賞口とされており、遊技盤２０の遊技領域２１を流下するパチンコ球の流下態様に応じて任意のタイミングで第１普通入賞口７０ａにパチンコ球が入賞し得るよう構成されている。また、前記枠状装飾体４０には、前記始動入賞装置４６の右側をパチンコ球が流下する遊技領域２１(第２球流下経路２１ｂ)に、遊技領域２１を流下するパチンコ球が入賞可能な第２普通入賞口(入賞口)７１ａを備える第２普通入賞部材(第２入賞部,入賞部)７１が配設されている。実施例では、第２普通入賞部材７１は枠状装飾体４０の台板部４３に一体的に設けられている。第２普通入賞口７１ａは、パチンコ球が入賞可能に遊技領域２１内で常に上方開口した常時開放型の入賞口とされており、遊技盤２０の遊技領域２１を流下するパチンコ球の流下態様に応じて任意のタイミングで第２普通入賞口７１ａにパチンコ球が入賞し得るよう構成されている。また、パチンコ機１０は、普通入賞口７０ａ,７１ａに入賞したパチンコ球を検出する普通入賞検出スイッチ５８,５９(図８参照)を備え、該普通入賞検出スイッチ５８,５９は前記制御手段に配線接続されている。
【００３７】
(ゲート部５６について)
前記遊技盤２０には、図４に示す如く、最上部の第３装着口２９より上側に、前記第１装着口２７に連通して左方向に延在する切欠孔２７ｄが形成されており、該切欠孔２７ｄに、枠状装飾体４０に設けられたゲート部５６が臨むようになっている。ゲート部５６は、パチンコ球が通過可能なゲート入口およびゲート出口が遊技領域２１(第１球流下経路２１ａ)内で常に上下に開口する常時開放型の入球部とされ、遊技盤２０の遊技領域２１を流下するパチンコ球の流下態様に応じて任意のタイミングでゲート入口をパチンコ球が通過して、ゲート出口を介して遊技領域２１に排出されるようになっている。ゲート部５６は、ゲート入口に入球したパチンコ球を検出可能な球通過検出スイッチ(図示せず)を備え、球通過検出スイッチは、前記制御手段に配線接続されている。そして、球通過検出スイッチから制御手段への球検出信号の入力(すなわちパチンコ球の検出)に伴って、前記始動入賞装置４６の始動口開閉部材４７を開放するか否かに係る普図当り抽選が行われるよう構成される。
【００３８】
実施例のパチンコ機１０では、前記始動入賞検出スイッチ５７,５７、特別入賞検出スイッチ、普通入賞検出スイッチ５８,５９がパチンコ球を検出することで賞球払出条件が成立するよう構成されており、当該賞球払出条件の成立に伴って制御手段が図示しない払出制御装置に制御信号を出力して、所定数の賞球が前記上球受け皿１４または下球受け皿１５に払い出されるようになっている。
【００３９】
(設置部材２２について)
前記設置部材２２は、前記遊技盤２０の外郭形状より小さな略矩形状に形成された背面板６０と、該背面板６０の外周縁部から前方に突出する画壁部６１とから前方に開口した箱状に形成された箱状本体６２を備える(図５参照)。また、設置部材２２は、箱状本体６２の開口縁(画壁部６１の前部)に、開口外側へ向けて延出するよう固定部６３が形成されており、該固定部６３の前端を遊技盤２０の後面に当接させた状態で、当該遊技盤２０と設置部材２２とがネジにより固定される。また、前記設置部材２２の背面板６０には、前記枠状装飾体４０の開口部４０ａと前後に整列する位置に、図５に示す如く、略矩形状の開口部２２ａが前後に開口するよう開設されると共に、該背面板６０の後側に前記表示装置１７が着脱自在に取り付けられて、該開口部２２ａを介して表示装置１７の表示部１７ａが設置部材２２(遊技盤２０)の前側に臨むようになっている。そして、前記設置部材２２において開口部２２ａを囲繞する周囲に各種の演出装置７２,７３が設置されて、設置部材２２を基材とする１つのユニットとして扱い得るようになっている。なお、以下の説明では、設置部材２２の背面板６０について、開口部２２ａに対する上下左右の各部位を、上板部,下板部,左板部,右板部と指称して区別する場合もある。また、設置部材２２の画壁部６１についても、開口部２２ａに対する上下左右の各部位を、上画壁部,下画壁部,左画壁部,右画壁部と指称して区別する場合もある。
【００４０】
(固定部６３について)
次に、前記固定部６３について詳細に説明する。固定部６３は、図５に示す如く、画壁部６１から外側に向けて延出する延出部６３ａと、該延出部６３ａの延出端において前側に向けて突出する当接縁部６３ｂとを備え、該当接縁部６３ｂの前端面が遊技盤２０の後面に当接した状態で設置部材２２が遊技盤２０に対して位置決めされる(図１３参照)。また、当接縁部６３ｂの外面は、遊技盤２０の外周面に揃って外方に突出しないようになっている。そして、設置部材２２を後側に取り付けた遊技盤２０を前記中枠１２に取り付けた際には、設置部材２２における下画壁部６１に設けた固定部６３における当接縁部６２ｂの外面(下面)が、図１３に示す如く、前記下枠部１２ｂの上面に載置される。また、下画壁部６１に設けた固定部６３における延出部６３ａの後面が、前記規制壁部３５の前面に近接するよう構成される。
【００４１】
(発光装飾装置７２,７３について)
図７に示す如く、前記設置部材２２の前端部に、前記遊技盤２０または枠状装飾体４０に設けた前側装飾部品４４の後側に重なるように発光装飾装置７２,７３が配設されている。実施例では、前記第１球流下経路側において遊技盤２０の後側に重なるように第１発光装飾装置７２が設置部材２２に配設されると共に、前記第２球流下経路側において前側装飾部品４４の後側に重なるように第２発光装飾装置７３が設置部材２２に配設されている。
【００４２】
(第１発光装飾装置７２について)
第１発光装飾装置７２は、図４または図９に示す如く、遊技盤２０における前記第１球流下経路２１ａの後側に対向する所要形状および大きさに形成された板状の基材７４と、該基材７４の後面に配設されてパチンコ球を排出案内する複数の排出通路７７,７８を基材７４との間に画成する第１通路画成部材７５とを備える。基材７４および第１通路画成部材７５は、何れも光透過性の合成樹脂材料で形成されたものであって、後述する発光基板８１(図１２,図１３参照)に実装された発光体８１ａの光によって明輝することで、前記遊技盤２０を後側から照明し得るよう構成される。実施例では、基材７４は乳白色に構成されて、後側の排出通路７７,７８を流通するパチンコ球が前側から見え難くしてある。
【００４３】
(基材７４について)
前記基材７４は、左および下の夫々の外縁に設けた設置部７４ａを前記設置部材２２の固定部６３における延出部６３ａの前側に当接して位置決めされた状態で、各設置部７４ａをネジ等の固定手段によって対応する延出部６３ａに固定することで、該基材７４は左側および下側の画壁部６１から設置部材２２の中央に向けて前記背面板６０と略平行な姿勢で延出する状態で設置部材２２に位置決め固定される。そして、遊技盤２０の後側に設置部材２２を取り付けることで、該設置部材２２の前端に配設された第１発光装飾装置７２の基材７４が遊技盤２０の後面と対向するよう構成される。
【００４４】
前記基材７４には、前記遊技盤２０に形成された各第３装着口２９に対応する位置に、前後に貫通する通孔７６が形成されている。通孔７６は、図９,図１０に示す如く、前記第１普通入賞部材７０の後述する本体部８２が挿通可能な第１領域７６ａと、該第１領域７６ａに連通して左右方向の一方(実施例では右方)に延在する第２領域７６ｂおよび他方に延在する第３領域７６ｃとを備え、第２領域７６ｂに臨む後述するネジ固定ボス７９にネジ８５を介して第１普通入賞部材７０が固定されるようになっている。また、基材７４には、第３領域７６ｃの前側に被係合部７４ｂが設けられ、第１普通入賞部材７０の後述する係合部８３ｂを第３領域７６ｃに嵌合することで該係合部８３ｂが被係合部７４ｂと係合して前方への移動を規制するよう構成される(図１２参照)。
【００４５】
(第１通路画成部材７５について)
前記基材７４の後面に配設される第１通路画成部材７５には、前方に開口する複数の排出通路７７,７８が形成されており、該排出通路７７,７８の前側開口は基材７４で塞がれている。実施例では、第１通路画成部材７５に、前記第１特別入賞口５２ａに連通する第１特別排出通路(排出通路)７７と、前記第１普通入賞口７０ａ,７０ａ,７０ａに連通する第１普通排出通路(排出通路)７８とが設けられている。
【００４６】
前記第１特別排出通路７７は、前記設置部材２２を遊技盤２０の後側に取り付けることで、上端部において前方に向けて開口する入口が前記第１特別入賞装置５２の第１特別入賞口５２ａに連通接続されると共に、下端部において下方に向けて開口する第１特別球出口(出口)７７ａが、前記設置部材２２の後述する第１特別球排出部９５を介して設置部材外に開放するよう構成される(図８参照)。そして、第１特別入賞口５２ａに入賞したパチンコ球は、該第１特別排出通路７７を流下して第１特別球出口７７ａから外部に排出されるようになっている。
【００４７】
前記第１普通排出通路７８は、図８,図９に示す如く、上下方向に延在する複数(実施例では３つ)の排出通路部７８ａと、左右方向に延在して各排出通路部７８ａが連通する共通通路部７８ｂとを備え、各排出通路部７８ａの上端部において対応する第１普通入賞部材７０の第１普通入賞口７０ａが連通するよう構成される。そして、各第１普通入賞口７０ａに入賞したパチンコ球が排出通路部７８ａを介して共通通路部７８ｂに通入するよう構成されている。また、共通通路部７８ｂの下流端に、下方に開口する第１普通球出口(出口)７８ｃが設けられており、該第１普通球出口７８ｃが、前記設置部材２２の後述する第１普通球排出部９６を介して設置部材外に開放するよう構成される。すなわち、３つの第１普通入賞口７０ａに入賞したパチンコ球は、各排出通路部７８ａから共通通路部７８ｂに通入し、１つの第１普通球出口７８ｃから外部に排出されるようになっている。なお、第１普通排出通路７８には、第１普通球出口７８ｃの上側に、パチンコ球を検出する前記第１普通入賞検出スイッチ５８が着脱自在に取り付けられており、該第１普通入賞検出スイッチ５８によって３つの第１普通入賞部材７０に入賞したパチンコ球を検出するよう構成される。
【００４８】
前記第１発光装飾装置７２に設けられる第１特別排出通路７７および第１普通排出通路７８における球出口７７ａ,７８ｃは、前後方向に偏倚することなく左右方向に並んで位置し、各球出口７７ａ,７８ｃから排出されるパチンコ球は前後方向に偏倚しない位置を落下するよう構成される。
【００４９】
前記第１通路画成部材７５には、前記基材７４に設けた各通孔７６における第２領域７６ｂに対応する位置に、前側に開口するネジ孔７９ａが形成されたネジ固定ボス７９が前側に向けて突設されており(図１２参照)、該ネジ固定ボス７９の前端が第２領域７６ｂの後側に臨んでいる。また、第１通路画成部材７５における第１普通排出通路７８を画成する壁部７５ａが、各通孔７６における第３領域７６ｃの後側に臨んでおり、第３領域７６ｃに嵌合した第１普通入賞部材７０の後述する係合部８３ｂの後方への移動を該壁部７５ａで規制するよう構成される。
【００５０】
ここで、前記基材７４の後側に第１通路画成部材７５を配設した状態で、基材７４に形成した通孔７６の第２領域７６ｂおよび第３領域７６ｃの後側に第１通路画成部材７５に設けたネジ固定ボス７９および壁部７５ａの前面が臨むことで、第１発光装飾装置７２の前面(基材７４の前面)から後側に凹む嵌凹部８０が前記第２領域７６ｂおよび第３領域７６ｃに対応して形成される。この嵌凹部８０(第２領域７６ｂ,第３領域７６ｃ)は、第１普通入賞部材７０に形成された後述する取付部８３(具体的には取付部８３における嵌合部８３ａおよび係合部８３ｂ)を収容可能な形状および寸法で形成されており、該取付部８３を嵌凹部８０に嵌め込んだ状態で、該取付部８３が前記ネジ固定ボス７９にネジ８５によってネジ止め固定されるようになっている。また、嵌凹部８０の深さは、取付部８３の厚み寸法と略同一に設定されており、該嵌凹部８０に取付部８３を嵌め込んだ状態で、該取付部８３の前端が基材７４(第１発光装飾装置７２)の前面と略同一平面に臨むよう構成される(図１２参照)。
【００５１】
前記第１通路画成部材７５の後側に、複数の第１発光基板８１が配設されている。第１発光基板８１の前面には、前側に向けて光を照射するＬＥＤ等の複数の発光体８１ａが実装されており、該発光体８１ａを発光することで、第１通路画成部材７５および基材７４を透過した光によって遊技盤２０を後側から照明し得るよう構成される。
【００５２】
ここで、前記第１発光装飾装置７２は、該装置７２を構成する基材７４および第１通路画成部材７５によって、入賞部５２,７０で遊技盤２０の後側に案内されたパチンコ球を排出案内する排出通路７７,７８を画成しており、第１発光装飾装置７２は、設置部材２２に取り付けられて排出通路７７,７８を画成する通路構成部材としての機能を有していると云える。
【００５３】
(第１普通入賞部材７０について)
次に、前記第１普通入賞部材(入賞部)７０について詳細に説明する。第１普通入賞部材７０は、前記設置部材２２の前端部に配設されて遊技盤２０の後側に位置する前記第１発光装飾装置７２に着脱自在に配設されたものであって、該第１発光装飾装置７２が配設された設置部材２２に前側から遊技盤２０を取り付けることで、各第１普通入賞部材７０の前部が対応する第３装着口２９に挿通されて遊技盤前側に延出するよう構成される(図１２,図１３参照)。各第１普通入賞部材７０は、パチンコ球が入賞可能な第１普通入賞口７０ａが遊技領域２１内で常に上方開口して、遊技盤２０の遊技領域２１(第１球流下経路２１ａ)を流下するパチンコ球の流下態様に応じて任意のタイミングで第１普通入賞口７０ａにパチンコ球が入賞し得るようになっている。実施例では、第１発光装飾装置７２に３つの第１普通入賞部材７０が配設されている。
【００５４】
前記３つの第１普通入賞部材７０の構成は同じである。第１普通入賞部材７０は、光透過性の合成樹脂材料により形成された光透過性部材であって、図９,図１０に示す如く、上側に開口する樋状で前端部が前壁により閉塞された本体部８２と、該本体部８２の後端に設けられて外方に延出する板状の取付部８３とを備える。取付部８３は、本体部８２を挟む一方側から外方に延出する嵌合部８３ａおよび他方側から外方に延出する係合部８３ｂからなり、該取付部８３を介して第１普通入賞部材７０は前記第１発光装飾装置７２に位置決め固定されるようになっている。具体的には、嵌合部８３ａの前面に、後側に凹む凹部８４が形成されると共に、該凹部８４に開口するように前後に貫通する貫通孔８４ａが形成されている。そして、図１２に示す如く、前記基材７４に形成した通孔７６の第２領域７６ｂに嵌合部８３ａを嵌め合わせると共に第３領域７６ｃに係合部８３ｂを嵌め合わせたもとで、嵌合部８３ａを第１通路画成部材７５のネジ固定ボス７９にネジ８５によって固定することで、当該第１普通入賞部材７０が第１発光装飾装置７２に対して本体部８２が前側に突出すると共に第１普通入賞口７０ａが対応する排出通路部７８ａに連通した状態で固定される。また、係合部８３ｂは、第１通路画成部材７５の壁部７５ａによって後方への移動が規制されると共に、被係合部７４ｂによって前方への移動が規制されて、該第１普通入賞部材７０は本体部８２の後端の左右両側が確実に位置決めされる。
【００５５】
なお、嵌合部８３ａに位置決め孔８６が穿設されると共に、該位置決め孔８６に挿通可能な位置決め突部８７が、第１通路画成部材７５に設けられている(図９参照)。すなわち、第１普通入賞部材７０は、位置決め孔８６に位置決め突部８７が挿通されることによっても位置決めがなされるようになっている。
【００５６】
前記第１発光装飾装置７２に配設された第１普通入賞部材７０は、遊技盤２０の第３装着口２９に後側から挿通して該遊技盤２０の後側に設置部材２２を介して第１発光装飾装置７２を配設することで、図１２,図１３に示す如く、前記本体部８２が第３装着口２９から前側に突出して前記遊技領域２１(第１球流下経路２１ａ)に臨むよう構成される。そして、該本体部８２における遊技領域２１で上側に開口する部分が、第１普通入賞口(入賞口)７０ａとして機能し、遊技領域２１を流下するパチンコ球が該第１普通入賞口７０ａに入賞可能になる。そして、第１普通入賞口７０ａに入賞したパチンコ球は、本体部８２で遊技盤２０の後側まで案内された後に、前記排出通路部７８ａに通入し、前記第１普通球出口７８ｃから排出されるよう構成される。実施例では、設置部材２２に第１発光装飾装置７２を配設した状態で、該設置部材２２を遊技盤２０の後側に取り付けることで、前記第１普通入賞部材７０が遊技盤２０に対して適正な位置に取り付けられるものであって、実施例では設置部材２２および第１発光装飾装置(通路構成部材)７２から遊技盤２０に対して第１普通入賞部材７０を配設する遊技機構成部材が構成される。
【００５７】
前記ネジ８５として、皿ネジが用いられており、第１普通入賞部材７０がネジ８５によって第１発光装飾装置７２に取り付けられた状態で、該ネジ８５における頭部は前記凹部８４内に収容されて、該頭部の前端(ネジ８５の前端)は取付部８３の前端より後側に位置するよう構成されている。
【００５８】
前記第１普通入賞部材７０における本体部８２の前部下面に、図１３に示す如く、前側から後側に向かうにつれて下側に変位する傾斜が形成されて、該本体部８２の前端部は先細り形状に形成されている。すなわち、本体部８２の前端部の上下寸法は第３装着口２９より小さく設定(略１／２に設定)されており、遊技盤２０の第３装着口２９に後側から本体部８２を挿通する工程において、第３装着口２９の縁部に本体部８２の先端部を引っ掛けることなく円滑に挿通し得るようになっている。
【００５９】
(第２発光装飾装置７３について)
前記第２発光装飾装置７３は、前記枠状装飾体４０に設けた前側装飾部品４４の後側に対向する所要形状および大きさに形成された透明なケース体８８と、該ケース体８８の後面に配設されてパチンコ球を排出案内する複数の排出通路９１,９３をケース体８８との間に画成する第２通路画成部材８９とを備える(図１１参照)。ケース体８８および第２通路画成部材８９は、何れも光透過性の合成樹脂材料で形成されたものであって、後述する発光基板９０に実装された発光体９０ａの光によって明輝することで、前記前側装飾部品４４を後側から照明し得るよう構成される。
【００６０】
前記ケース体８８は、図７に示す如く、右および下の夫々の外縁に設けた設置部８８ａを前記設置部材２２の固定部６３における延出部６３ａの前側に当接して位置決めされた状態で、各設置部８８ａをネジ等の固定手段によって対応する延出部６３ａに固定することで、該ケース体８８は右側および下側の画壁部６１から設置部材２２の中央に向けて前記背面板６０と略平行な姿勢で延出する状態で設置部材２２に位置決め固定される。そして、遊技盤２０の後側に設置部材２２を取り付けることで、該設置部材２２の前端に配設された第２発光装飾装置７３のケース体８８が前記前側装飾部品４４の後面と対向するよう構成される。
【００６１】
図１１に示す如く、前記ケース体８８の内部に第２発光基板９０が収容されると共に、該第２発光基板９０の前面には、前側に向けて光を照射するＬＥＤ等の複数の発光体９０ａが実装されており、該発光体９０ａを発光することで、ケース体８８を透過した光によって前側装飾部品４４を照明し得るよう構成される。
【００６２】
(第２通路画成部材８９について)
前記ケース体８８の後面に配設される第２通路画成部材８９には、図８に示す如く、前方に開口する複数の排出通路９１,９３が形成されており、該排出通路９１,９３の前側開口はケース体８８で塞がれている。実施例では、ケース体８８の後側に位置する第２通路画成部材８９で画成された第２特別排出通路(排出通路)９１は、枠状装飾体４０における開口部４０ａの上縁に沿って左右方向に延在する連通部材９２(図３参照)によって前記第２特別入賞口５４ａに連通接続するよう構成される。また、第２通路画成部材８９とケース体８８との間には、前記第２普通入賞口７１ａに連通する第２普通排出通路(排出通路)９３が設けられている。
【００６３】
前記第２特別排出通路９１は、設置部材２２を遊技盤２０の後側に取り付けることで、前記連通部材９２を介して前記第２特別入賞装置５４の第２特別入賞口５４ａに連通接続されると共に、下端部において下方に向けて開口する第２特別球出口(出口)９１ａが、前記設置部材２２の後述する第２特別球排出部９７を介して設置部材外に開放するよう構成される。そして、第２特別入賞口５４ａに入賞したパチンコ球は、該連通部材９２および第２特別排出通路９１を流下して第２特別球出口９１ａから外部に排出されるようになっている。
【００６４】
前記第２普通排出通路９３は、図８に示す如く、左右方向に延在した後に下方に向けて経路が変更されるよう構成され、左右方向に延在する部分の上流端が、前記第２普通入賞部材７１の第２普通入賞口７１ａに連通するよう構成される。第２普通排出通路９３の下流端に、下方に開口する第２普通球出口９３ａが設けられており、該第２普通球出口(出口)９３ａが、前記設置部材２２の後述する第２普通球排出部９８(図１５参照)を介して設置部材外に開放するよう構成される。また、第２普通排出通路９３には、第２普通球出口９３ａの上側に、パチンコ球を検出する前記第２普通入賞検出スイッチ５９が着脱自在に取り付けられており、該第２普通入賞検出スイッチ５９によって第２普通入賞部材７１に入賞したパチンコ球を検出するよう構成される。
【００６５】
前記第２発光装飾装置７３に設けられる第２特別排出通路９１および第２普通排出通路９３における各球出口９１ａ,９３ａは、前後方向に偏倚することなく左右方向に並んで位置し、各球出口９１ａ,９３ａから排出されるパチンコ球は前後方向に偏倚しない位置を落下するよう構成される。
【００６６】
ここで、前記第２発光装飾装置７３は、該装置７３を構成するケース体８８および第２通路画成部材８９によって、入賞部５４,７１で遊技盤２０の後側に案内されたパチンコ球を排出案内する排出通路９１,９３を画成しており、第２発光装飾装置７３は、設置部材２２に取り付けられて排出通路９１,９３を画成する通路構成部材としての機能を有していると云える。
【００６７】
(第２普通入賞部材７１について)
次に、前記枠状装飾体(装飾部材)４０に設けられている第２普通入賞部材(第２入賞部,入賞部)７１について詳細に説明する。この第２普通入賞部材７１は、前記台板部４３と同じく光透過性の合成樹脂材料により該台板部４３に一体的に形成された光透過性部材であって、図４,図１４に示す如く、上側に開口する樋状で前端部が前壁により閉塞された本体部９４と、該本体部９４の後端に設けられて台板部４３の後面から後方に延出する挿通部９４ａとを備える。そして、第２普通入賞部材７１が設けられた枠状装飾体４０を遊技盤２０に前側から取り付けることで、前記台板部４３が遊技盤２０の前面に当接し、第２普通入賞部材７１の第２普通入賞口７１ａが遊技領域２１(第２球流下経路２１ｂ)において上方に開口した状態で位置決めされるようになっている。すなわち、第２普通入賞部材７１は、前記第１普通入賞部材７０と同様に、パチンコ球が入賞可能な第２普通入賞口７１ａが遊技領域２１内で常に上方開口して、遊技盤２０の遊技領域２１(第２球流下経路２１ｂ)を流下するパチンコ球の流下態様に応じて任意のタイミングで第２普通入賞口７１ａにパチンコ球が入賞し得るようになっている。実施例では、枠状装飾体４０に１つの第２普通入賞部材７１が設けられている。
【００６８】
また、前記第２普通入賞部材７１は、台板部４３が遊技盤２０の前面に当接した状態で前記挿通部９４ａが前記第１装着口２７における第３開口領域２７ｃから後方に突出する。そして、枠状装飾体４０が取り付けられた遊技盤２０の後側に前記設置部材２２を取り付けることで、第２普通入賞部材７１の挿通部９４ａが、前記第２発光装飾装置７３に設けた第２普通排出通路９３に連通するよう構成される。また、第２普通入賞部材７１の前後寸法は、前記第１普通入賞部材７０の前後寸法と同等に設定されており、両普通入賞部材７０,７１に入賞して遊技盤２０の後側に案内されたパチンコ球を排出案内する前記普通排出通路７８,９３の前後位置を揃えて設け得るよう構成される。
【００６９】
(設置部材２２の球排出部９５,９６,９７,９８について)
前記設置部材２２には、前記遊技盤２０の後側に設けられた複数の排出通路７７,７８,９１,９３に対応して、各排出通路７７,７８,９１,９３の球出口７７ａ,７８ｃ,９１ａ,９３ａから排出されるパチンコ球を前記中枠１２に設けられた前記集合樋３７に排出案内する球排出部９５,９６,９７,９８が設けられている(図５〜図８参照)。前記第１発光装飾装置７２に設けられた第１特別排出通路７７および第１普通排出通路７８に対応する第１特別球排出部９５および第１普通球排出部９６の構成は同じであるので、第１普通球排出部９６について説明し、第１特別球排出部９５の同一部分には同じ符号を付して詳細説明は省略する。また、前記第２発光装飾装置７３に設けられた第２特別排出通路９１および第２普通排出通路９３に対応する第２特別球排出部９７および第２普通球排出部９８の構成は同じであるので、第２普通球排出部９８について説明し、第２特別球排出部９７の同一部分には同じ符号を付して詳細説明は省略する。
【００７０】
(第１普通球排出部９６について)
前記設置部材２２における下画壁部６１には、図５,図６に示す如く、開放端側において一段低くなる段部９９が形成されており、該段部９９に、前記第１普通排出通路７８の第１普通球出口７８ｃから通出するパチンコ球を排出処理する第１普通球排出部９６が設けられている。第１普通球排出部９６は、段部９９において上下に貫通するように設けられた第１嵌合孔(嵌合孔)１００を備える。この第１嵌合孔１００は、段部９９における奥側の面と、左右方向に離間して立上がる一対の側壁部と、両側壁部を前側で繋ぐ第１傾斜壁１０１とによって矩形状に開口している。第１傾斜壁１０１は、図１３に示す如く、前記固定部６３における延出部６３ａから前側に向けて斜め上方に延在するよう形成されて、該第１傾斜壁１０１における第１普通球出口７８ｃを向く傾斜面１０１ａは、前側から後側へ向けて下方傾斜している。また、第１傾斜壁１０１の傾斜後端は、第１普通球出口７８ｃの下方前寄りに位置しており、該第１普通球出口７８ｃから真っ直ぐに通出するパチンコ球が第１傾斜壁１０１の傾斜面１０１ａに接触可能に構成されている。すなわち、第１普通球出口７８ｃから通出するパチンコ球が傾斜面１０１ａに接触することで減勢し得ると共に、該パチンコ球を斜め後方に案内し得るようになっている。実施例では、第１傾斜壁１０１が、第１普通球出口７８ｃから通出するパチンコ球を接触によって減勢する減勢部として機能する。
【００７１】
前記第１傾斜壁１０１の上端部に、前側に突出する支持部１０１ｂが設けられている。この支持部１０１ｂの前端は、図１３に示す如く、前記固定部６３に設けた当接縁部６３ｂの前端と揃うように寸法設定されており、遊技盤２０の後側に設置部材２２を取り付けた状態で、固定部６３は上下に離間する位置で支持部１０１ｂおよび当接縁部６３ｂが夫々遊技盤２０の後面に当接することで、該固定部６３を安定して支持し得るようになっている。また、前記第１普通排出通路７８(共通通路部７８ｂ)の下端部は、図１３に示す如く、前記第１嵌合孔１００に嵌合して、前記第１普通球出口７８ｃと第１傾斜壁１０１(傾斜面１０１ａ)との位置関係を適切に維持し得るよう構成される。
【００７２】
(第２普通球排出部９８について)
前記設置部材２２における下画壁部６１の開放端側に、前記第２普通排出通路９３の第２普通球出口９３ａから通出するパチンコ球を排出処理する第２普通球排出部９８が設けられている。第２普通球排出部９８は、下画壁部６１において上下に貫通するように設けられた第２嵌合孔(嵌合孔)１０２を備える。この第２嵌合孔１０２の前端縁は、前記延出部６３ａから前側に向けて斜め上方に延在する第２傾斜壁１０３によって画成されている。すなわち、図１５に示す如く、第２傾斜壁１０３における第２普通球出口９３ａを向く傾斜面１０３ａは、前側から後側へ向けて下方傾斜している。また、第２傾斜壁１０３の傾斜後端は、第２普通球出口９３ａの下方前寄りに位置しており、該第２普通球出口９３ａから真っ直ぐに通出するパチンコ球が第２傾斜壁１０３の傾斜面１０３ａに接触可能に構成されている。すなわち、第２普通球出口９３ａから通出するパチンコ球が傾斜面１０３ａに接触することで減勢し得ると共に、該パチンコ球を斜め後方に案内し得るようになっている。実施例では、第２傾斜壁１０３が、第２普通球出口９３ａから通出するパチンコ球を接触によって減勢する減勢部として機能する。
【００７３】
ここで、前記第２傾斜壁１０３の上端には、前記第１傾斜壁１０１の支持部１０１ｂに対応する支持部は設けられていないが、該第２傾斜壁１０３の上端部に、遊技盤２０の後面に当接する支持部を設ける構成を採用し得る。
【００７４】
なお、前記第２普通排出通路９３の下端部は、図１５に示す如く、前記第２嵌合孔１０２の上方に位置しており、第２普通排出通路９３の第２普通球出口９３ａから通出したパチンコ球は第２嵌合孔１０２を通過して前記集合樋３７に排出される。
【００７５】
(始動用通路画成部材１０７について)
前記設置部材２２における下板部６０には、図８に示す如く、前記始動入賞装置４６に対応する位置に、前記上部始動入賞口４６ａに連通する第１始動排出通路１０４および前記下部始動入賞口４６ｂに連通する第２始動排出通路１０５が形成された始動用通路画成部材１０７が設けられている。第１始動排出通路１０４は、始動入賞装置４６の上部球通路５１ａに上端部で連通して下端部において下方に向けて球出口１０４ａを開口している。また、第２始動排出通路１０５は、始動入賞装置４６の下部球通路５１ｂに上端部で連通して下端部において下方に向けて球出口１０５ａを開口している。そして、各球通路５１ａ,５１ｂから対応する始動排出通路１０４,１０５に通入したパチンコ球は、対応する球出口１０４ａ,１０５ａから排出される。また、第１始動排出通路１０４および第２始動排出通路１０５には、各球出口１０４ａ,１０５ａの上側に、パチンコ球を検出する前記始動入賞検出スイッチ５７が夫々着脱自在に取り付けられており、各始動入賞検出スイッチ５７によって対応する始動入賞口４６ａ,４６ｂに入賞したパチンコ球を検出するよう構成される。
【００７６】
前記設置部材２２の下画壁部６１には、前記２つの始動排出通路１０４,１０５の球出口１０４ａ,１０５ａから通出されるパチンコ球の通過を許容する始動用開口部１０６が設けられている。前記球出口１０４ａ,１０５ａは、図１６に示す如く、前記集合樋３７の真上に開口しており、該球出口１０４ａ,１０５ａを通出したパチンコ球は始動用開口部１０６を介して集合樋３７に排出されるよう構成される。すなわち、実施例のパチンコ機１０では、遊技盤２０の左右方向の中央に位置する球出口１０４ａ,１０５ａから通出するパチンコ球は、減勢部に接触させることなく直接集合樋３７に排出させるのに対し、左右の発光装飾装置７２,７３に設けられた球出口７７ａ,７８ｃ,９１ａ,９３ａから通出するパチンコ球については、減勢部(傾斜壁１０１,１０３)に接触させて減勢すると共に斜め後方に案内することで集合樋３７に排出するようになっている。
【００７７】
〔実施例の作用〕
次に、前述した実施例に係るパチンコ機１０の作用につき説明する。
【００７８】
前記前枠１３に設けられた前記操作ハンドル１６の操作レバー１６ａを遊技者が回転操作すると、前記打球発射装置Ｍから発射されたパチンコ球が前記遊技盤２０の遊技領域２１内に打ち出される。この遊技領域２１に打ち出されたパチンコ球は、前記枠状装飾体４０の外周囲を流下し、該パチンコ球が前記始動入賞口４６ａ,４６ｂに入賞すると、前記制御手段の制御に基づいて前記表示装置１７の表示部１７ａにおいて図柄が変動開始され、所要の図柄変動演出が展開される。表示部１７ａで展開される図柄変動演出の結果、該表示部１７ａに所定の図柄組合わせで飾図が停止表示されると大当りが発生する。そして、大当りが発生すると、表示装置１７の表示部１７ａに表示された図柄組み合わせに応じて、前記特別入賞装置５２,５４の特別入賞口５２ａ,５４ａが開放され、遊技者は多くの賞球が獲得可能となる。
【００７９】
前記表示装置１７の表示部１７ａで展開される図柄変動演出に応じて、前記制御手段の制御に基づいて前記各発光基板８１,９０に設けられている発光体８１ａ,９０ａが、制御手段の制御に基づいて発光したり点滅することで、前記遊技盤２０や前側装飾部品４４の明輝態様が変化することで、遊技の興趣が高められる。特に、実施例のように第１球流下経路２１ａに臨むように２つの特別入賞装置５２,５４が配置されている構成では、前記設置部材２２に配設した第１発光装飾装置７２の第１発光体８１ａを発光させると、該第１発光体８１ａからの光によって前記基材７４が明輝し、前記遊技盤２０における第１球流下経路２１ａに対応する領域が裏側から照明される。すなわち、「左打ち」を行う場合に、遊技者が注目する第１球流下経路２１ａを裏側から照明することで、演出効果を高めることができる。
【００８０】
(普通入賞部材７０,７１の作用について)
次に、前記普通入賞部材７０,７１の作用について説明する。実施例のパチンコ機１０では、前記遊技盤２０の後側に配設される前記第１発光装飾装置７２に、前記第１普通入賞部材７０を配設すると共に、該第１普通入賞部材７０の第１普通入賞口７０ａに入賞したパチンコ球を排出する第１普通排出通路７８を形成する第１通路画成部材７５が第１発光装飾装置７２に設けられている。すなわち、第１普通入賞部材７０および第１通路画成部材７５を遊技盤２０に個々に取り付ける必要はなく、第１発光装飾装置７２が配設されている前記設置部材２２の前端に遊技盤２０を配設するだけで、該遊技盤２０の適正位置に第１普通入賞部材７０および第１普通排出通路７８を位置させることができ、遊技盤２０に対する部品の組み立て工数を低減し得る。また、遊技盤２０から設置部材２２を取り外すだけで、遊技盤２０の前側に位置する第１普通入賞部材７０も一体で取り外すことができるので、遊技盤２０の分別が容易でリサイクル性が向上する。
【００８１】
また、実施例のパチンコ機１０では、前記遊技盤２０の前側に配設される前記枠状装飾体４０に前記第２普通入賞部材７１を設けると共に、遊技盤２０の後側に配設される前記第２発光装飾装置７３に、第２普通入賞部材７１の第２普通入賞口７１ａに入賞したパチンコ球を排出する第２普通排出通路９３を形成する第２通路画成部材８９が設けられている。すなわち、枠状装飾体４０および第２普通入賞部材７１を遊技盤２０に個々に取り付ける必要はなく、遊技盤２０に枠状装飾体４０を配設するだけで、該遊技盤２０の適正位置に第２普通入賞部材７１を位置させることができ、遊技盤２０に対する部品の組み立て工数を低減し得る。また、遊技盤２０から枠状装飾体４０を取り外すだけで、第２普通入賞部材７１も一体で取り外すことができるので、遊技盤２０の分別が容易でリサイクル性が向上する。
【００８２】
実施例のパチンコ機１０では、前記設置部材２２に配設された第１発光装飾装置７２に第１普通入賞部材７０を設けると共に、枠状装飾体４０に第２普通入賞部材７１を設けるよう構成したので、設置部材２２および枠状装飾体４０を遊技盤２０に配設することで、入賞口７０ａ,７１ａを遊技領域２１に開口するように複数の入賞部７０,７１を設けることができ、遊技盤２０に入賞部を止着するための専用の止着部を設ける必要はなく、該遊技盤２０の加工工数を低減することができる。
【００８３】
前記第１普通入賞部材７０は、第１発光装飾装置７２の前面に形成した嵌凹部８０に取付部８３を前側から嵌め込んだ状態で、該取付部８３の貫通孔８４ａに前側から挿通したネジ８５を対応するネジ固定ボス７９のネジ孔７９ａに螺挿することで、前記本体部８２が前側に突出した状態で第１発光装飾装置７２に位置決め固定される(図１２参照)。そして、第１発光装飾装置７２が配設された前記設置部材２２の前端に遊技盤２０を配設する際に、第１発光装飾装置７２から前側に突出する第１普通入賞部材７０の本体部８２を対応する第３装着口２９に後側から挿通して該遊技盤２０を設置部材２２に固定することで、第１普通入賞部材７０の本体部８２が第３装着口２９から前側に突出して前記遊技領域２１(第１球流下経路２１ａ)に臨む。第１普通入賞部材７０の取付部８３は前記嵌凹部８０に嵌め込まれているので、第１普通入賞部材７０の取り付け安定性は増す。また、第３装着口２９に挿通されている本体部８２は、該第３装着口２９の内周面で支持されるので、遊技領域２１を流下するパチンコ球が本体部８２に接触した際の衝撃を遊技盤２０自体で支持することができ、第１普通入賞部材７０の第１発光装飾装置７２に対する取付部分が破損等するのを防ぐことができる。また、実施例の第１普通入賞部材７０は、本体部８２が先細り形状に形成されているので、該本体部８２を第３装着口２９に容易に挿通することができ、作業性が向上する。
【００８４】
前記第２普通入賞部材７１は、図１４に示す如く、第２普通入賞口７１ａに入賞したパチンコ球を後側に案内する挿通部９４ａが、枠状装飾体４０の台板部４３から後方に延出するように設けられている。そして、遊技盤２０の前側に枠状装飾体４０を配設することで、第２普通入賞部材７１の挿通部９４ａが第１装着口２７の第３開口領域２７ｃに挿通されて遊技盤２０の後方に延出すると共に、該挿通部９４ａが前記第２普通排出通路９３に連通する。従って、第２普通入賞口７１ａに入賞したパチンコ球を遊技盤２０の後側までスムーズに案内して第２普通排出通路９３に通出させることができる。すなわち、パチンコ球は第２普通入賞部材７１によって直接第２普通排出通路９３に案内されるので、第２普通入賞口７１ａに入賞したパチンコ球が第３開口領域２７ｃを介して遊技盤２０の後側に案内される構成に比べてパチンコ球のスムーズな案内を図り得る。
【００８５】
ここで、実施例のパチンコ機１０では、前記第１普通入賞部材７０および第２普通入賞部材７１の前後寸法を同等に設定した。具体的には、第１普通入賞部材７０における遊技盤２０の後方への延出長さと、第２普通入賞部材７１における遊技盤２０の後方への延出長さとを同等に設定したので、設置部材２２(発光装飾装置７２,７３)に設けられて各普通入賞部材７０,７１で案内されるパチンコ球を排出する各排出通路７８,９３の前後位置を揃えることができ、遊技機全体の前後寸法を小さく抑えることができる。すなわち、実施例のように第１普通入賞部材７０が遊技盤２０の左側の第１球流下経路２１ａに設けられると共に、第２普通入賞部材７１が遊技盤２０の右側の第２球流下経路２１ｂに設けられる構成において、遊技盤２０の後側において左右に離間して設けられる各排出通路７８,９３の前後位置をずらすことで、遊技盤２０の後方に必要となるスペースが大きくなるのを抑制し得る。
【００８６】
前記第１普通入賞部材７０の第１普通入賞口７０ａに入賞したパチンコ球は、図１３に示す如く、該第１普通入賞部材７０の本体部８２によって遊技盤２０の後側まで案内されて、前記第１普通排出通路７８に通出され、該第１普通排出通路７８内を落下して第１普通球出口７８ｃから設置部材２２の下方に排出される。第１普通球出口７８ｃから排出されたパチンコ球は、設置部材２２における固定部６３に設けられた前記第１普通球排出部９６の傾斜面１０１ａに接触して斜め後方に案内されて、前記中枠１２に設けられた集合樋３７に受容される。すなわち、第１普通排出通路７８から落下したパチンコ球が傾斜面１０１ａに接触することで減勢されるので、パチンコ球が集合樋３７内で跳ね上がって後続するパチンコ球に当って円滑な落下を阻害することはなく、パチンコ球の円滑な排出を図り得る。
【００８７】
前記第１普通排出通路７８から落下するパチンコ球が接触する前記第１傾斜壁１０１の上端には、前側に突出して遊技盤２０の後面に当接する支持部１０１ｂが設けられている。すなわち、支持部１０１ｂを遊技盤２０に当接することで第１傾斜壁１０１の剛性を高めると共に、該第１傾斜壁１０１にパチンコ球が接触した際の衝撃を遊技盤２０で受けることができ、第１傾斜壁１０１が傷損等するの抑制し得る。また実施例のパチンコ機１０では、前記設置部材２２における第１普通球排出部９６が設けられる下側の固定部６３では、下端縁から前側に延出する当接縁部６３ｂが遊技盤２０の後面に当接している。すなわち、図１３に示す如く、第１普通排出通路７８から落下するパチンコ球が接触する第１傾斜壁１０１の上下位置において該第１傾斜壁１０１は当接縁部６３ｂおよび支持部１０１ｂによって遊技盤２０で支持されている。従って、第１傾斜壁１０１の剛性はより高められ、パチンコ球の接触による衝撃によって第１傾斜壁１０１が損傷等するのを抑制することができる。
【００８８】
実施例のパチンコ機１０では、前記第２普通入賞部材７１、第１特別入賞装置５２および第２特別入賞装置５４に入賞した各パチンコ球を排出案内する対応する排出路９３,７７,９１から落下するパチンコ球に接触して減勢する傾斜壁１０１,１０３を備えた球排出部９８,９５,９７が設置部材２２に夫々設けられているので、複数の入賞部７１,５２,５４に入賞したパチンコ球の夫々を円滑に排出することができる。
【００８９】
また、図１３に示す如く、前記第１普通排出通路７８(共通通路部７８ｂ)の下端部は、前記第１普通球排出部９６の第１嵌合孔１００に嵌合して、前記第１普通球出口７８ｃと第１傾斜壁１０１(傾斜面１０１ａ)との位置関係が適切に維持されている。すなわち、第１普通排出通路７８から落下するパチンコ球を第１傾斜壁１０１に確実に接触させることができ、パチンコ球の確実な減勢を図り得る。
【００９０】
ここで、実施例のパチンコ機１０のように遊技盤２０としてアクリル樹脂から形成された透明板を用いる場合は、重量軽減の見地から該遊技盤２０の前後厚みを小さくしているが、遊技盤２０の厚みを小さくした場合は、前記中枠１２の遊技盤保持部３０に遊技盤２０をセットする際に、下枠部１２ｂに載置した遊技盤２０の設置面積が小さくなって安定性が低くなるおそれがある。そこで、実施例のパチンコ機１０では、遊技盤２０の後側に配設される設置部材２２について、延出部６３ａの端縁から当接縁部６３ｂを延出するように形成して剛性を高めた固定部６３を設け、該固定部６３を遊技盤２０に固定することで、図１３に示す如く、遊技盤２０と共に固定部６３を下枠部１２ｂに載置して設置面積を大きくして安定性を高めている。この場合に、遊技盤２０および固定部６３を載置する領域を下枠部１２ｂに確保するため、前記集合樋３７を後側に変位して中枠１２に設けている。そして、前記第１普通排出通路７８から落下するパチンコ球を、後側に変位した集合樋３７に案内する第１傾斜壁１０１を固定部６３を利用して設けることで、第１普通排出通路７８の位置を変更することなくパチンコ球を円滑に集合樋３７に案内し得るようになっている。なお、前記第２普通排出通路９３、第１特別排出通路７７および第２特別排出通路９１と対応する傾斜壁１０１,１０３との関係は、第１普通排出通路７８と第１傾斜壁１０１との関係と同じであるので、同様の作用効果を奏する。また、左右方向に離間して設けられる排出通路７７,７８,９１,９３から落下するパチンコ球を受容する集合樋３７を前後方向に変位することなく左右方向に直線状に形成し得るので、中枠１２における下枠部１２ｂの構成もシンプルにすることができる。
【００９１】
〔別実施例〕
図１７は、別実施例に係るパチンコ機１０の要部を示す説明図であって、実施例と共通の構成部分については、説明を省略する。また、実施例と同じ部材や同一機能を有する部分には同一の符号を付すものとする。
【００９２】
別実施例に係るパチンコ機１０では、図１７に示す如く、前記第１発光装飾装置７２における基材７４の被係合部７４ｂを省略し、前記第１普通入賞部材７０における嵌凹部８０(第２領域７６ｂおよび第３領域７６ｃ)に嵌め込まれている取付部８３について、設置部材２２に遊技盤２０を取り付けた状態で取付部８３の前面が遊技盤２０の後面に当接するよう構成されている。すなわち、取付部８３における嵌合部８３ａが、前記ネジ固定ボス７９と遊技盤２０とで挟持されると共に、該取付部８３における係合部８３ｂが、前記壁部７５ａと遊技盤２０とで挟持されるようになっている。
【００９３】
別実施例では、第１発光装飾装置７２の嵌凹部８０に第１普通入賞部材７０の取付部８３が嵌り込むと共に、該取付部８３を第１発光装飾装置７２と遊技盤２０とで挟むよう構成したので、第１普通入賞部材７０の取り付け安定性が増す。
【００９４】
〔変更例〕
本願発明は、前述した実施例の構成に限定されるものではなく、その他の構成を適宜に採用することができる。
(1) 実施例では、設置部材に配設した第１発光装飾装置に第１普通入賞部材を設けるよう構成したが、第１普通入賞部材を設ける部材は、発光装飾する機能を有するものに限らず、第１普通入賞部材に入賞した遊技球を排出案内する排出通路を画成する機能のみを有する通路画成部材であってもよい。
(2) 実施例では、枠状装飾体に第２普通入賞部材を設けた場合で説明したが、該第２普通入賞部材が設けられる部材は、遊技領域を画成するための枠状装飾体に限られるものではなく、遊技盤に前側から配設されて各種の装飾を図る装飾部材であってもよい。すなわち、装飾部材に設けられて遊技盤の前面に当接する台板部に、第２普通入賞部材が一体的に設けられたものであってもよい。
(3) 実施例では、第１発光装飾装置に３つの第１普通入賞部材を設ける一方で、枠状装飾体に１つの第２普通入賞部材を設けた場合で説明したが、第１発光装飾装置や枠状装飾体に設ける普通入賞部材の数は任意に設定し得る。
(4) 実施例では、枠状装飾体(装飾部材)に第２普通入賞部材を一体的に形成したが、枠状装飾体(装飾部材)に対して第２普通入賞部材をネジ等の固定手段によって着脱自在に設ける構成を採用し得る。このように枠状装飾体(装飾部材)に第２普通入賞部材を着脱自在に設ける構成であっても、枠状装飾体(装飾部材)と第２普通入賞部材とを一体で取り扱い得るので、遊技盤に第２普通入賞部材を止着する専用の止着部を設ける必要はない。
(5) 実施例では、第１普通入賞部材を遊技領域における第１球流下経路に対応して配置し、第２普通入賞部材を遊技領域における第２球流下経路に対応して配置したが、第１普通入賞部材を遊技領域における第２球流下経路に対応して配置し、第２普通入賞部材を遊技領域における第１球流下経路に対応して配置する構成を採用し得る。具体的には、実施例の第２発光装飾装置の前側に第１普通入賞部材を設けて、遊技盤の後側に第２発光装飾装置を配置することで第２球流下経路に設けた第１貫通孔に後側から第１普通入賞部材が挿通されると共に、第１球流下経路に配設される装飾部材に第２普通入賞部材を設けて、遊技盤の前側に装飾部材を配設することで第２球流下経路に設けた第２貫通孔に第２普通入賞部材の第２普通入賞口が連通するように構成すればよい。
【００９５】
(6) 実施例では、第２普通入賞部材の第２普通入賞口が連通する第２貫通孔を、枠状装飾体が取り付けられる第１装着口の一部として構成したが、枠状装飾体(装飾部材)が取り付けられる装着口とは連通していない独立した孔として第２貫通孔を遊技盤に設け、枠状装飾体(装飾部材)を装着口に取り付けた際に、該装着口とは独立する第２貫通孔に第２普通入賞部材の第２普通入賞口が連通する構成を採用し得る。
(7) 実施例では、第２普通入賞部材が設けられる装飾部材(枠状装飾体)を遊技盤に取り付けるための装着口を該遊技盤に設けたが、該装飾部材を取り付けるための装着口を省略し、装飾部材を遊技盤の前側に取り付けた際に、第２普通入賞部材の第２普通入賞口が連通する第２貫通孔のみが遊技盤に設けられているものであってもよい。
(8) 実施例では、第２普通入賞部材に、台板部から後側に延出する挿通部を設けたが、該挿通部を省略し、第２普通入賞部材の第２普通入賞口に入賞したパチンコ球が第２貫通孔を通って第２普通排出通路に通出する構成を採用し得る。または、第２通路画成部材に、前側に延出する挿通部を設け、第２発光装飾装置を遊技盤の後側に配置した際に、第２通路画成部材に設けた挿通部が第２貫通孔に後側から挿通されて、第２普通入賞部材の第２普通入賞口に入賞したパチンコ球が第２貫通孔内に位置する挿通部を介して第２普通排出通路にパチンコ球が通入する構成であってもよい。
(9) 実施例では、２つの特別入賞装置を設けた場合で説明したが、該特別入賞装置は１つであってもよい。また特別入賞装置は、実施例では枠状装飾体に配設したが、遊技盤に直接配設される構成であってもよい。
(10) 実施例では、普通入賞部材(入賞部材)を配設した設置部材を遊技盤の後側に取り付けることで、普通入賞部材(入賞部材)の普通入賞口(入賞口)が遊技領域に臨むよう構成したが、入賞部材としての始動入賞装置や特別入賞装置を設置部材に配設し、該設置部材を遊技盤の後側に取り付けることで、始動入賞装置の始動入賞口(入賞口)や特別入賞装置の特別入賞口(入賞口)が遊技領域に臨む構成を採用し得る。
(11) 遊技機としては、パチンコ機に限られるものではなく、アレンジボール機等、その他各種の遊技機であってもよい。
【００９６】
本願には、以下のような技術的思想が含まれる。
(Ａ) 請求項１記載の構成を含む遊技機において、
前記遊技盤(20)に前記入賞部(52,54,70,71)が複数設けられると共に、各入賞部(52,54,70,71)に対応する排出通路(77,78,91,93)が前記設置部材(22)に夫々設けられ、該設置部材(22)には、各排出通路(77,78,91,93)の出口(77a,78c,91a,93a)の下方に前記減勢部(101,103)が夫々設けられていることを要旨とする。
これによれば、複数の入賞部に入賞した遊技球の夫々を円滑に排出することができる。
(Ｂ) 請求項１または(Ａ)記載の構成を含む遊技機において、
前記減勢部(101)に、前側に突出して前記遊技盤(20)の後面に当接する支持部(101b)が設けられていることを要旨とする。
これによれば、減勢部の支持部を遊技盤の後面に当接することで剛性を高めることができると共に、減勢部に遊技球が接触した際に該減勢部に加わる負荷を遊技盤で受けることができる。
【符号の説明】
【００９７】
２０ 遊技盤
２１ 遊技領域
２２ 設置部材
５２ 第１特別入賞装置(入賞部)
５４ 第２特別入賞装置(入賞部)
６２ 箱状本体
６３ａ 延出部
６３ｂ 当接縁部
７０ 第１普通入賞部材(入賞部)
７１ 第２普通入賞部材(入賞部)
７７ 第１特別排出通路(排出通路)
７７ａ 第１特別球出口(出口)
７８ 第１普通排出通路(排出通路)
７８ｃ 第１普通球出口(出口)
９１ 第２特別排出通路(排出通路)
９１ａ 第２特別球出口(出口)
９３ 第２普通排出通路(排出通路)
９３ａ 第２普通球出口(出口)
１００ 第１嵌合孔(嵌合孔)
１０１ 第１傾斜壁(減勢部)
１０１ａ 傾斜面(排出通路の出口に向く面)
１０３ 第２傾斜壁(減勢部)
１０３ａ 傾斜面(排出通路の出口に向く面)
【図１】
0006360511.tif 000002
【図２】
0006360511.tif 000003
【図３】
0006360511.tif 000004
【図４】
0006360511.tif 000005
【図５】
0006360511.tif 000006
【図６】
0006360511.tif 000007
【図７】
0006360511.tif 000008
【図８】
0006360511.tif 000009
【図９】
0006360511.tif 000010
【図１０】
0006360511.tif 000011
【図１１】
0006360511.tif 000012
【図１２】
0006360511.tif 000013
【図１３】
0006360511.tif 000014
【図１４】
0006360511.tif 000015
【図１５】
0006360511.tif 000016
【図１６】
0006360511.tif 000017
【図１７】
0006360511.tif 000018